【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
供給された使用済みスクラップ線状低密度ポリエチレンフィルムまたは低密度ポリエチレンフィルムを加工して、未使用に近い品質のブローフィルム製品にする方法であって、以下の工程を含む方法：
細断機中で前記供給フィルムを細断する工程であって、前記プラスチックフィルムを引裂き、層剥離することにより、前記フィルムの表面領域を露出させる工程；
前記細断フィルムを界面活性剤を持つ添加剤を含有する水浴中で洗浄し、前記細断フィルムを前記浴中で撹拌する工程であって、汚染物質を前記細断フィルムから除去する工程；
前記洗浄フィルムを湿式粉砕機中で粉砕し、前記粉砕フィルムを回転摩擦洗浄器中で洗浄する工程であって、汚染物質を前記粉砕フィルムからさらに除去する工程；
前記粉砕フィルムを後洗浄浮沈水浴中で洗浄する工程であって、前記粉砕フィルムを後洗浄浮沈水浴中で機械的液圧撹拌に付す工程；
前記洗浄フィルムを乾燥させる工程；および
前記乾燥、粉砕フィルムを水を添加せずに圧縮して、未使用に近い品質のブローフィルム製品としての粗砕物にする工程。
【請求項２】
前記供給フィルムを磁場に付すことにより前記供給フィルム中の金属を検出する工程、および
前記供給フィルムを前記細断機で細断する前に前記供給フィルムから金属を除去する工程、
をさらに含む、
請求項１の供給フィルム加工方法：
【請求項３】
前記細断プラスチックフィルムがろ過ふるいを通して前記水浴に排出される、
請求項１の供給フィルム加工方法。
【請求項４】
前記添加剤が洗剤を含む、
請求項１の供給フィルム加工方法。
【請求項５】
前記洗剤が前記界面活性剤の他に苛性ソーダと、過炭酸ナトリウムとしてのソーダ灰を含む、
請求項４の供給フィルム加工方法。
【請求項６】
前記界面活性剤が非イオン界面活性剤を含み、前記苛性ソーダが水酸化ナトリウムを含み、前記ソーダ灰が炭酸ナトリウムを含む、
請求項５の供給フィルム加工方法。
【請求項７】
前記非イオン界面活性剤が低発泡性直鎖アルコールアルコキシレートを含む、
請求項６の供給フィルム加工方法。
【請求項８】
前記後洗浄浮沈水浴が：
水を保持するように構成された水タンク；
前記水と流体連通した少なくとも１つの水掻車；
前記タンクの底部に近接した前記水タンク内のバッフルハニカム；
前記水タンクに連結され、前記水タンク内の前記水に噴射水を送り込むように構成された複数の噴霧バーを持ちつつ前記水上を延設された水噴霧システム；および
前記後洗浄浮沈水浴から前記フィルムを取り出すように構成された排出オーガまで前記フィルムを移動させるように構成された滝状分離器、
を含む、
請求項１の供給フィルム加工方法。
【請求項９】
前記後洗浄浮沈水浴の前記水タンクが前記タンクの一端から前記タンクの他端へと水を一方向に移動させるように構成されている、
請求項８の供給フィルム加工方法。
【請求項１０】
前記水噴霧システムの前記複数の噴霧バーが前記後洗浄浮沈水浴の前記水タンクの片側から前記後洗浄浮沈水浴の前記水タンクの他側へ延設されており、前記後洗浄浮沈水浴の前記水タンク内の前記水に噴射水を送り込むように構成されており、前記水タンク内で前記フィルムが拡散、層剥離され、水没される、
請求項８の供給フィルム加工方法。
【請求項１１】
前記滝状分離器が前記フィルムを前記後洗浄浮沈水浴の前記水タンクから移動させるように構成されており、前記滝状分離器が前記後洗浄浮沈水浴から前記フィルムを除去するように構成された前記排出オーガが接近できる前記滝状分離器の中心部へと前記フィルムを移動させるように構成された互いに対向して向き合うブレードを持つ中央揃えオーガを含む、
請求項８の供給フィルム加工方法。
【請求項１２】
前記粉砕洗浄工程の後で、前記後洗浄浮沈水浴中の洗浄工程の前に、少なくとも２種の異なる前記洗浄粉砕フィルムをハイドロサイクロン内で分離する工程であって、より軽い洗浄粉砕フィルムをより重い洗浄粉砕フィルムから分離し、前記より軽い洗浄粉砕フィルムを前記後洗浄浮沈水浴に提供する工程をさらに含む、
請求項１の供給フィルム加工方法。
【請求項１３】
前記粉砕フィルムを回転摩擦洗浄器内で洗浄する前に、前記粉砕フィルムをターボ洗浄器内で洗浄することにより、前記粉砕フィルムの追加洗浄と前記粉砕フィルムからの汚染物質の分離を行う工程をさらに含む、
請求項１２の供給フィルム加工方法。
【請求項１４】
前記乾燥させた粉砕フィルムが１０重量％以下の水分を含有している、
請求項１の供給フィルム加工方法。
【請求項１５】
前記粗砕物を前記圧縮工程の後にペレットに形成する工程、
をさらに含む、
請求項１の供給フィルム加工方法。
【請求項１６】
供給された使用済みスクラップ線状低密度ポリエチレンフィルムまたは低密度ポリエチレンフィルムを加工して、未使用に近い品質のブローフィルム製品にするシステムであって、以下を含むシステム：
前記供給フィルムを細断する細断機であって、前記細断機により前記プラスチックフィルムが引裂かれ、層剥離されることにより、前記フィルムの表面領域が露出される細断機；
前記細断フィルムを界面活性剤を持つ添加剤で洗浄し，前記細断フィルムを前記浴中で撹拌して、汚染物質を前記細断フィルムから除去する水浴；
前記洗浄フィルムを粉砕する湿式粉砕機；
前記粉砕フィルムを洗浄することにより、汚染物質を前記粉砕フィルムからさらに除去する回転摩擦洗浄器；
前記粉砕フィルムを洗浄し、前記粉砕フィルムを機械的液圧撹拌に付す後洗浄浮沈水浴；
前記洗浄フィルムを乾燥させる乾燥器；および
前記乾燥、粉砕フィルムを水を添加せずに圧縮して、未使用に近い品質のブローフィルム製品としての粗砕物にする圧縮機。
【請求項１７】
前記供給フィルムを磁場に付すことにより、前記供給フィルム中の金属を検出し、前記供給フィルムを前記細断機で細断する前に前記供給フィルムから金属を除去する金属検出コンベヤ、
をさらに含む、
請求項１６のシステム。
【請求項１８】
前記細断プラスチックフィルムが前記細断機から前記水浴に排出される際に通されるろ過ふるい、
をさらに含む、
請求項１６のシステム。
【請求項１９】
前記添加剤が洗剤を含む、
請求項１６のシステム。
【請求項２０】
前記洗剤が、前記界面活性剤の他に苛性ソーダと、過炭酸ナトリウムとしてのソーダ灰を含む、
請求項１９のシステム。
【請求項２１】
前記界面活性剤が非イオン界面活性剤を含んでなり、前記苛性ソーダが水酸化ナトリウムを含み、前記ソーダ灰が炭酸ナトリウムを含む、
請求項２０のシステム。
【請求項２２】
前記非イオン界面活性剤が低発泡性直鎖アルコールアルコキシレートを含む、
請求項２１のシステム。
【請求項２３】
前記後洗浄浮沈水浴が：
水を保持するように構成された水タンクと；
前記水と流体連通した少なくとも１つの水掻車と；
前記タンクの底部に近接した前記水タンク内のバッフルハニカムと；
前記水タンクに連結され、前記水タンク内の前記水に噴射水を送り込むように構成された複数の噴霧バーを持ちつつ水上を延設された水噴霧システムと；
前記後洗浄浮沈水浴から前記フィルムを取り出すように構成された排出オーガまで前記フィルムを移動させるように構成された滝状分離器と、
を含む、
請求項１６のシステム。
【請求項２４】
前記後洗浄浮沈水浴の前記水タンクが前記タンクの一端から前記タンクの他端へ水を一方向に移動させるように構成されている、
請求項２３のシステム。
【請求項２５】
前記水噴霧システムの複数の噴霧バーが前記後洗浄浮沈水浴の前記水タンクの片側から前記後洗浄浮沈水浴の前記水タンクの他側へ延設されており、前記後洗浄浮沈水浴の前記水タンク内の前記水に噴射水を送り込むように構成されており、前記水タンク内で前記フィルムは拡散、層剥離され、水没される、
請求項２３のシステム。
【請求項２６】
前記滝状分離器が前記フィルムを前記後洗浄浮沈水浴の前記水タンクから移動させるように構成されていて、前記滝状分離器が、前記後洗浄浮沈水浴から前記フィルムを除去するように構成された前記排出オーガが接近できる前記滝状分離器の中心部へと前記フィルムを移動させるように構成された互いに対向して向き合うブレードを持つ中央揃えオーガを含む、
請求項２３のシステム。
【請求項２７】
前記回転摩擦洗浄器と前記後洗浄浮沈水浴との中間に位置するハイドロサイクロンであって、少なくとも２種の異なる前記洗浄粉砕フィルムを分離させ、より軽い洗浄粉砕フィルムはより重い洗浄粉砕フィルムから分離され、前記より軽い洗浄粉砕フィルムが前記後洗浄浮沈水浴に提供される、ハイドロサイクロンをさらに含む、
請求項１６のシステム。
【請求項２８】
前記回転摩擦洗浄器の後で、前記ハイドロサイクロンの前に位置するターボ洗浄器であって、前記粉砕フィルムを洗浄して、前記粉砕フィルムの追加洗浄と前記粉砕フィルムからの汚染物質の分離を実施する、ターボ洗浄器をさらに含む、
請求項２７のシステム。
【請求項２９】
前記乾燥させた粉砕フィルムが１０重量％以下の水分を含有している、
請求項１６のシステム。
【請求項３０】
前記圧縮機が前記乾燥粉砕フィルムを圧縮した後、前記粗砕物をペレットに形成する粗砕機をさらに含む、
請求項１６のシステム。